(57)【特許請求の範囲】
【請求項１】
グループへ招待する側の第１の端末、グループへ招待される側の第２の端末、及びグループを管理する管理サーバを有するグループ作成システムであって、
前記第１の端末は、
前記第２の端末を宛先とする前記グループへの招待情報を、前記管理サーバへ送信する第１の送信部を備え、
前記管理サーバは、
前記招待情報を送信可能な登録済みの端末の識別情報と共に、当該端末のユーザの固有情報、及び前記グループの構成メンバ情報を記憶するユーザ情報記憶部と、
前記第１の端末のユーザの固有情報を特定する特定部と、
前記招待情報の宛先である前記第２の端末が前記登録済みの端末として前記ユーザ情報記憶部に記憶されている場合、前記第１の端末のユーザの固有情報及び前記招待情報を、前記第２の端末へ送信し、前記第２の端末が前記登録済みの端末として前記ユーザ情報記憶部に記憶されていない場合、前記招待情報の送信を保留する第２の送信部と、
前記送信を保留された招待情報を記憶する招待情報記憶部と、
前記第２の端末からの前記招待情報に対する応答に基づいて、前記構成メンバ情報を更新すると共に、前記第１の端末へ更新結果を通知する更新部と、を備え、
前記第２の端末は、
前記招待情報に対して、前記グループへ参加するか否かの選択入力を受け付け、選択結果を前記管理サーバへ送信する選択部と、を備えるグループ作成システム。
【請求項２】
前記管理サーバは、前記招待情報の送信が保留された場合、前記第２の端末を登録するためのサイトへの接続情報を前記第１の端末へ通知する第１の通知部を備え、
前記第１の端末は、前記接続情報を前記第２の端末へ通知する第２の通知部を備える請求項１に記載のグループ作成システム。
【請求項３】
前記接続情報は、前記管理サーバとの通信用アプリケーションをダウンロードするためのサイトのＵＲＬである請求項２に記載のグループ作成システム。
【請求項４】
前記第２の送信部は、前記第２の端末の登録が完了すると、前記送信を保留された招待情報を前記第２の端末へ送信する請求項１から請求項３のいずれかに記載のグループ作成システム。
【請求項５】
グループへ招待する側の第１の端末、及びグループへ招待される側の第２の端末と通信接続され、グループを管理する管理サーバであって、
前記第２の端末を宛先とする前記グループへの招待情報を、前記第１の端末から受信する受信部と、
前記招待情報を送信可能な登録済みの端末の識別情報と共に、当該端末のユーザの固有情報、及び前記グループの構成メンバ情報を記憶するユーザ情報記憶部と、
前記第１の端末のユーザの固有情報を特定する特定部と、
前記招待情報の宛先である前記第２の端末が前記登録済みの端末として前記ユーザ情報記憶部に記憶されている場合、前記第１の端末のユーザの固有情報及び前記招待情報を、前記第２の端末へ送信し、前記第２の端末が前記登録済みの端末として前記ユーザ情報記憶部に記憶されていない場合、前記招待情報の送信を保留する第２の送信部と、
前記送信を保留された招待情報を記憶する招待情報記憶部と、
前記第２の端末から、前記招待情報に対する前記グループへ参加するか否かの選択結果を受信したことに応じて、前記構成メンバ情報を更新すると共に、前記第１の端末へ更新結果を通知する更新部と、を備える管理サーバ。
【請求項６】
コンピュータを請求項５に記載の管理サーバとして機能させるためのグループ作成プログラム。
【発明の詳細な説明】
【技術分野】
【０００１】
本発明は、コミュニケーションツールにおけるユーザのグループを作成するシステム、管理サーバ及びグループ作成プログラムに関する。
【背景技術】
【０００２】
従来、ＳＮＳ（Ｓｏｃｉａｌ  Ｎｅｔｗｏｒｋｉｎｇ  Ｓｅｒｖｉｃｅ）等において提供されるコミュニケーションツールには、友達登録機能及びグループ会話機能等が実装されている。
特許文献１には、グループへ招待するためのＵＲＬを送信する技術が提案されている。この技術では、不正なユーザによるグループへの参加を防ぐために、グループへの参加を表明したユーザが正しいユーザであることが確認される。
【先行技術文献】
【特許文献】
【０００３】
【特許文献１】特開２００５−３３２１８７号公報
【発明の概要】
【発明が解決しようとする課題】
【０００４】
しかしながら、特許文献１の技術によっても、招待を受け取ったユーザは、この招待が正当なものであるか否かを判別できなかった。そのため、招待のためのＵＲＬが記載された通知を受け取った場合に、発信元及び内容を確認することなく承諾してしまうと、ユーザは、意図せずに不正なグループに参加してしまうおそれがあった。
さらに、参加したグループにおいて、例えばグループメンバに対して個人情報等を開示する設定がなされている場合、第３者に個人情報を取得されてしまうおそれがあった。
【０００５】
本発明は、不正なユーザから招待されたグループへの参加を抑制できるグループ作成システム、管理サーバ及びグループ作成プログラムを提供することを目的とする。
【課題を解決するための手段】
【０００６】
本発明に係るグループ作成システムは、グループへ招待する側の第１の端末、グループへ招待される側の第２の端末、及びグループを管理する管理サーバを有し、前記第１の端末は、前記第２の端末を宛先とする前記グループへの招待情報を、前記管理サーバへ送信する第１の送信部を備え、前記管理サーバは、前記招待情報を送信可能な登録済みの端末の識別情報と共に、当該端末のユーザの固有情報、及び前記グループの構成メンバ情報を記憶するユーザ情報記憶部と、前記第１の端末のユーザの固有情報を特定する特定部と、前記招待情報の宛先である前記第２の端末が登録済みの場合、前記第１の端末のユーザの固有情報及び前記招待情報を、前記第２の端末へ送信し、前記第２の端末が登録済みでない場合、前記招待情報の送信を保留する第２の送信部と、前記送信を保留された招待情報を記憶する招待情報記憶部と、前記第２の端末からの前記招待情報に対する応答に基づいて、前記構成メンバ情報を更新すると共に、前記第１の端末へ更新結果を通知する更新部と、を備え、前記第２の端末は、前記招待情報に対して、前記グループへ参加するか否かの選択入力を受け付け、選択結果を前記管理サーバへ送信する選択部と、を備える。
【０００７】
前記管理サーバは、前記招待情報の送信が保留された場合、前記第２の端末を登録するためのサイトへの接続情報を前記第１の端末へ通知する第１の通知部を備え、前記第１の端末は、前記接続情報を前記第２の端末へ通知する第２の通知部を備えてもよい。
【０００８】
前記接続情報は、前記管理サーバとの通信用アプリケーションをダウンロードするためのサイトのＵＲＬであってもよい。
【０００９】
前記第２の送信部は、前記第２の端末の登録が完了すると、前記送信を保留された招待情報を前記第２の端末へ送信してもよい。
【００１０】
本発明に係る管理サーバは、グループへ招待する側の第１の端末、及びグループへ招待される側の第２の端末と通信接続され、グループを管理し、前記招待情報を送信可能な登録済みの端末の識別情報と共に、当該端末のユーザの固有情報、及び前記グループの構成メンバ情報を記憶するユーザ情報記憶部と、前記第１の端末のユーザの固有情報を特定する特定部と、前記第１の端末から受信した前記招待情報の宛先である前記第２の端末が登録済みの場合、前記第１の端末のユーザの固有情報及び前記招待情報を、前記第２の端末へ送信し、前記第２の端末が登録済みでない場合、前記招待情報の送信を保留する第２の送信部と、前記送信を保留された招待情報を記憶する招待情報記憶部と、前記第２の端末から、前記招待情報に対する前記グループへ参加するか否かの選択結果を受信したことに応じて、前記構成メンバ情報を更新すると共に、前記第１の端末へ更新結果を通知する更新部と、を備える。
【００１１】
本発明に係るグループ作成プログラムは、コンピュータを前記管理サーバとして機能させる。
【発明の効果】
【００１２】
本発明によれば、不正なユーザから招待されたグループへの参加を抑制できる。
【図面の簡単な説明】
【００１３】
【図１】実施形態に係るグループ作成システムの構成を示す図である。
【図２】実施形態に係るグループ作成処理の第１の例を示す図である。
【図３】実施形態に係るグループ作成処理の第１の例を示す図である。
【図４】実施形態に係るグループ作成処理の第１のパターンを示すフローチャートである。
【図５】実施形態に係るグループ作成処理の第２のパターンを示すフローチャートである。
【発明を実施するための形態】
【００１４】
以下、本発明の実施形態の一例について説明する。
図１は、本実施形態に係るグループ作成システム１の構成を示す図である。
【００１５】
グループ作成システム１は、コミュニケーションツールにおけるグループへ招待する側の招待元端末（第１の端末）と、グループを管理する管理サーバ２０と、グループへ招待される側の招待先端末（第２の端末）を備える。招待元端末１０は、管理サーバ２０を介して招待先端末３０に対して、グループへの招待を行い、招待先端末３０は、招待に対して承認又は拒否を通知することにより、管理サーバにおいてグループ情報が更新される。
【００１６】
コミュニケーションツールは、メッセージ、メール、写真等を端末間で送受信するために管理サーバ２０により提供されるサービスであり、所定のアプリケーション（アプリ）を実行する端末において利用されるものであってもよい。また、アプリケーションは、Ｗｅｂブラウザを含み、Ｗｅｂ上で提供されるサイトサービス又はＷｅｂブラウザ上で実行されるＷｅｂアプリ等であってもよい。本実施形態では、一例として、コミュニケーションツールが所定のアプリケーション（アプリ）を実行する端末において利用されるものとして説明する。
【００１７】
また、コミュニケーションツールにおけるグループとは、送受信の宛先として指定、又は所定の情報の閲覧を許可する構成メンバとして指定できるユーザの集合である。グループの構成メンバは、ユーザ又は端末を特定できる固有情報が管理サーバ２０に登録される。
以下、本実施形態では、一例として、固有情報は端末の電話番号であるものとして説明する。
【００１８】
招待元端末１０は、アドレス帳記憶部１１と、送信部１２（第１の送信部）と、通知部１３（第２の通知部）とを備える。
管理サーバ２０は、ユーザ情報記憶部２１と、特定部２２と、送信部２３（第２の送信部）と、招待情報記憶部２４と、通知部２５（第１の通知部）と、更新部２６とを備える。
招待先端末３０は、アドレス帳記憶部３１と、判定部３２と、選択部３３とを備える。
【００１９】
アドレス帳記憶部１１は、招待元端末１０のユーザが連絡先として電話番号又はメールアドレス等の固有情報を登録したアドレス帳を記憶する。
【００２０】
送信部１２は、招待先端末３０を宛先とするグループへの招待情報を、管理サーバ２０へ送信する。
【００２１】
通知部１３は、管理サーバ２０から取得した各種情報を、具体的には後述の管理サーバ２０への接続情報を、招待先端末３０へ通知する。通知の手段は、例えばＳＭＳ（Ｓｈｏｒｔ  Ｍｅｓｓａｇｅ  Ｓｅｒｖｉｃｅ）、電子メール、又は各種ＳＮＳのツールであってよい。
【００２２】
ユーザ情報記憶部２１は、管理サーバ２０が提供するアプリケーションを利用する登録ユーザの固有情報である電話番号、及びグループの構成メンバ情報を記憶する。
また、ユーザ情報記憶部２１は、招待情報を送信可能な、すなわち管理サーバ２０と通信可能な所定のアプリケーションにおいてユーザ登録済みの端末又はユーザの識別情報を記憶する。
【００２３】
特定部２２は、招待元端末１０のユーザの固有情報として電話番号を特定する。
また、特定部２２は、招待情報の宛先である招待先端末３０が所定のアプリケーションにおいて登録済みであるか否かを判定する。
【００２４】
送信部２３は、招待元端末１０の電話番号及び招待情報を、この招待情報の宛先である招待先端末３０へ送信する。
ここで、送信部２３は、招待情報の宛先である招待先端末３０が登録済みでない場合、この招待情報の送信を保留する。
その後、送信部２３は、招待先端末３０の登録が完了すると、送信を保留された招待情報を招待先端末３０へ送信する。
【００２５】
招待情報記憶部２４は、送信部２３により送信を保留された招待情報を一時的に、例えば所定の期間、又は招待先端末３０が登録されるまで記憶する。
【００２６】
通知部２５は、送信部２３による招待情報の送信が保留された場合、招待先端末３０を登録するためのサイトへの接続情報を招待元端末１０へ通知する。
接続情報は、管理サーバ２０又は他のサーバから前述した所定のアプリケーションをダウンロードするためのサイトのＵＲＬである。ここでは、アプリケーションのデータが管理サーバ２０に記憶されている例で説明したが、アプリケーションのデータは他のサーバに記憶されており、管理サーバ２０は、他のサーバのＵＲＬを接続情報として案内するものであってもよい。また、前述のとおり、コミュニケーションツールはアプリケーションに限らないため、接続情報は、コミュニケーションツールのサービスを提供するサイトのＵＲＬやＷｅｂアプリを実行するためのＵＲＬであってもよい。
【００２７】
更新部２６は、招待先端末３０からの招待情報に対する応答に基づいて、ユーザ情報記憶部２１におけるグループの構成メンバ情報を更新すると共に、招待元端末１０へ更新結果を通知する。なお、更新部２６は、更新結果を招待先端末３０へも通知してもよい。
【００２８】
アドレス帳記憶部３１は、招待先端末３０のユーザが連絡先として電話番号又はメールアドレス等の固有情報を登録したアドレス帳を記憶する。このアドレス帳により、メッセージの受信を許可しているユーザが識別される。
【００２９】
判定部３２は、招待情報と共に受信した招待元端末１０の電話番号がアドレス帳記憶部３１に記憶されているか否かを判定し、記憶されている場合には、この招待情報を通常メッセージとして分類し、記憶されていない場合には、この招待情報をスパムメッセージとして分類する。
【００３０】
選択部３３は、招待情報に対して、グループへ参加するか否かの選択入力を受け付け、選択結果を管理サーバ２０へ送信する。
【００３１】
図２は、本実施形態に係るグループ作成処理の第１の例を示す図である。
この例は、招待元端末１０及び招待先端末３０の双方に所定のアプリケーションがインストールされており、コミュニケーションツールが利用できる場合である。
【００３２】
招待元端末１０は、グループ作成ボタン１０１が押下（タップ）されると、アドレス帳を呼び出し、連絡先一覧１０２を表示する。この連絡先一覧１０２から招待するユーザが選択されると、招待元端末１０は、招待先の電話番号を管理サーバ２０へ送信する。
【００３３】
管理サーバ２０は、特定した招待元の電話番号を伴って、招待先端末３０へ、グループへの招待情報を送信する。
招待情報を受信した招待先端末３０は、招待元の電話番号がアドレス帳に登録されているか否かを判定する。登録されている場合には、招待先端末３０は、招待情報を通常メッセージとして処理し、メッセージ３０１を表示する。
【００３４】
一方、招待元の電話番号がアドレス帳に登録されていない場合には、招待先端末３０は、招待情報をスパムメッセージに分類し、報知情報３０２を出力する。
招待先端末３０においてスパムメッセージの閲覧操作があると、通常メッセージと同様のメッセージ３０１が表示される。
【００３５】
メッセージ３０１に対して、承認又は拒否のボタンが選択されると、選択結果が管理サーバ２０へ送信され、グループ情報が更新される。承認ボタンが選択された場合には、招待先端末３０のユーザがグループの構成メンバに追加され、グループ作成が完了する。
【００３６】
図３は、本実施形態に係るグループ作成処理の第２の例を示す図である。
この例は、招待先端末３０に所定のアプリケーションがインストールされておらず、コミュニケーションツールが利用できない場合である。
【００３７】
招待元端末１０は、グループ作成ボタン１０１が押下（タップ）されると、アドレス帳を呼び出し、連絡先一覧１０２を表示する。この連絡先一覧１０２から招待するユーザが選択されると、招待元端末１０は、招待先の電話番号を管理サーバ２０へ送信する。
【００３８】
管理サーバは、招待先の電話番号に基づいて、招待先端末３０のユーザがアプリケーションの利用ユーザとして登録されているか否かを判定し、登録されていない場合、アプリケーションをダウンロードするためのＵＲＬを、招待元端末１０へ通知する。
招待元端末１０は、通知されたＵＲＬを、既存のツールを用いて招待先端末３０へ通知する。
【００３９】
招待先端末３０は、通知されたＵＲＬへのリンク３０３を表示する。このリンク３０３が選択されると、招待先端末３０は、前述した所定のアプリケーションをダウンロードするためのサイトのＵＲＬに接続し、管理サーバ２０又は他のサーバからアプリケーションのダウンロードを行う。アプリケーションのダウンロードが不要なサイトのサービス又はＷｅｂアプリ等を利用する場合には、リンク３０３は、コミュニケーションツールのサービスを提供するサイトのＵＲＬやＷｅｂアプリを実行するためのＵＲＬであってもよい。
続いて、アプリケーションへのユーザ登録が完了すると、管理サーバ２０は、招待先端末３０へ、一時記憶しておいた招待情報を送信し、メッセージ３０１を表示する。
【００４０】
メッセージ３０１に対して、承認又は拒否のボタンが選択されると、選択結果が管理サーバ２０へ送信され、グループ情報が更新される。承認ボタンが選択された場合には、招待先端末３０のユーザがグループの構成メンバに追加され、グループ作成が完了する。
【００４１】
図４は、本実施形態に係るグループ作成処理の第１のパターンを示すフローチャートである。
【００４２】
ステップＳ１において、招待元端末１０は、ユーザの操作入力に基づいて、グループへの招待先ユーザを選択する。
ステップＳ２において、招待元端末１０は、招待先の電話番号を含む招待情報を管理サーバ２０へ送信する。
【００４３】
ステップＳ３において、管理サーバ２０は、招待元端末１０の電話番号を特定する。
ステップＳ４において、管理サーバ２０は、アプリケーションの登録ユーザの情報を参照し、招待先がアプリケーションの利用者であるか否かを判定する。第１パターンでは、この判定がＹＥＳであり、招待先端末３０にアプリケーションがインストールされている。
【００４４】
ステップＳ５において、管理サーバ２０は、特定された招待元端末１０の電話番号を含む招待情報を、招待先端末３０へ送信する。
ステップＳ６において、招待先端末３０は、招待元端末１０の電話番号がアドレス帳に登録されているか否かを判定する。この判定がＹＥＳの場合、処理はステップＳ９に移り、判定がＮＯの場合、処理はステップＳ７に移る。
【００４５】
ステップＳ７において、招待先端末３０は、招待元がアドレス帳に登録されていない不正なユーザであると判断し、招待情報をスパムメッセージに分類する。
ステップＳ８において、招待先端末３０は、スパムメッセージを表示させる操作入力があったか否かを判定する。この判定がＹＥＳの場合、処理はステップＳ９に移り、判定がＮＯの場合、処理は終了する。
【００４６】
ステップＳ９において、招待先端末３０は、招待情報を報知するメッセージを表示する。
ステップＳ１０において、招待先端末３０は、グループへの招待に対して承認又は拒否の選択を受け付ける。
ステップＳ１１において、招待先端末３０は、ステップＳ１０の選択結果を管理サーバ２０へ送信する。
【００４７】
ステップＳ１２において、管理サーバ２０は、受信した選択結果に基づいて、グループの構成メンバ情報を更新する。
ステップＳ１３及びＳ１４において、管理サーバ２０は、招待元端末１０へ、グループの更新結果情報を通知する。
【００４８】
図５は、本実施形態に係るグループ作成処理の第２のパターンを示すフローチャートである。
この第２のパターンでは、第１のパターン（図４）のステップＳ４に続いて、符号Ａのステップが追加実行される。つまり、ステップＳ４における判定がＮＯであり、招待先端末３０にアプリケーションがインストールされていないので、処理はステップＳ２１に移る。
【００４９】
ステップＳ２１において、管理サーバ２０は、アプリケーションをダウンロードするためのＵＲＬを、招待元端末１０へ通知する。
ステップＳ２２において、招待元端末１０は、管理サーバ２０から通知されたＵＲＬを、招待先端末３０へ送信する。
【００５０】
ステップＳ２３において、招待先端末３０は、通知されたＵＲＬによって管理サーバ２０又はアプリケーションのデータが記憶された他のサーバへアクセスし、アプリケーションをダウンロードする。アプリケーションのダウンロードが不要なサイトのサービス又はＷｅｂアプリを利用する場合には、招待先端末３０に通知されるＵＲＬは、コミュニケーションツールのサービスを提供するサイトのＵＲＬやＷｅｂアプリを実行するためのＵＲＬであってもよい。
ステップＳ２４において、管理サーバ２０は、アプリケーションの利用者として、招待先端末３０のユーザを登録する。
【００５１】
ユーザ登録が完了すると、ステップＳ５において、管理サーバ２０は、招待元端末１０の電話番号を含む招待情報を、招待先端末３０へ送信する。以降、ステップＳ６〜Ｓ１４は、第１のパターン（図４）と同一である。
【００５２】
本実施形態によれば、グループ作成システム１は、招待先端末３０において、招待元端末１０のユーザの固有情報がアドレス帳に登録されているか否かを判定し、登録されていない招待元からの招待情報をスパムに分類する。これにより、グループ作成システム１は、アドレス帳に登録された知人からの安全な招待のみを受け付け、アドレス帳に登録されていない不正なユーザから招待されたグループへの意図しない参加を抑制できる。
【００５３】
グループ作成システム１は、固有情報として電話番号を用いることにより、端末及びユーザを特定できる安全なＩＤにより、容易にグループ作成機能を実現できる。
【００５４】
グループ作成システム１は、招待先端末３０がアプリケーションの利用者として登録済みでない場合、招待情報の送信を保留して一時記憶する。これにより、グループ作成システム１は、招待先端末３０が招待情報を受信する準備が整うまで待機して処理を再開できる。
【００５５】
また、グループ作成システム１は、招待先端末３０へアプリケーションのダウンロード用サイトのＵＲＬを招待元端末１０へ通知する。これにより、グループ作成システム１は、このＵＲＬを招待先端末３０へ転送することにより、アプリケーションをインストールさせ、招待情報の送信及びアドレス帳による分類の処理を進行させることができる。
【００５６】
さらに、グループ作成システム１は、招待先端末３０にアプリケーションがインストールされ、ユーザ登録が完了すると、管理サーバ２０により保留された招待情報を招待先端末３０へ送信するので、遅延なく処理を進行できる。
【００５７】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５８】
グループ作成システム１によるグループ作成方法は、ソフトウェアにより実現される。ソフトウェアによって実現される場合には、このソフトウェアを構成するプログラムが、情報処理装置（招待元端末１０、管理サーバ２０、招待先端末３０）にインストールされる。また、これらのプログラムは、ＣＤ−ＲＯＭのようなリムーバブルメディアに記録されてユーザに配布されてもよいし、ネットワークを介してユーザのコンピュータにダウンロードされることにより配布されてもよい。
【００５９】
以上の実施の形態に関し、更に以下の付記を開示する。
（付記１）
グループへ招待する側の第１の端末、グループへ招待される側の第２の端末、及びグループを管理する管理サーバを有するグループ作成システムであって、
前記第１の端末は、
前記第２の端末を宛先とする前記グループへの招待情報を、前記管理サーバへ送信する第１の送信部を備え、
前記管理サーバは、
ユーザの固有情報、及び前記グループの構成メンバ情報を記憶するユーザ情報記憶部と、
前記第１の端末のユーザの固有情報を特定する特定部と、
前記第１の端末のユーザの固有情報及び前記招待情報を、当該招待情報の宛先である前記第２の端末へ送信する第２の送信部と、
前記第２の端末からの前記招待情報に対する応答に基づいて、前記構成メンバ情報を更新すると共に、前記第１の端末へ更新結果を通知する更新部と、を備え、
前記第２の端末は、
ユーザの固有情報を記憶するアドレス帳記憶部と、
前記招待情報と共に受信した前記第１の端末のユーザの固有情報が前記アドレス帳記憶部に記憶されている場合には、当該招待情報を通常メッセージとして分類し、前記第１の端末のユーザの固有情報が前記アドレス帳記憶部に記憶されていない場合には、当該招待情報をスパムメッセージとして分類する判定部と、
前記招待情報に対して、前記グループへ参加するか否かの選択入力を受け付け、選択結果を前記管理サーバへ送信する選択部と、を備えるグループ作成システム。
（付記２）
前記第１の端末のユーザの固有情報は、当該第１の端末の電話番号である付記１に記載のグループ作成システム。
（付記３）
前記ユーザ情報記憶部は、前記招待情報を送信可能な登録済みの端末の識別情報を記憶し、
前記第２の送信部は、前記招待情報の宛先である前記第２の端末が登録済みでない場合、当該招待情報の送信を保留し、
前記管理サーバは、前記送信を保留された招待情報を記憶する招待情報記憶部を備える付記１又は付記２に記載のグループ作成システム。
（付記４）
前記管理サーバは、前記招待情報の送信が保留された場合、前記第２の端末を登録するためのサイトへの接続情報を前記第１の端末へ通知する第１の通知部を備え、
前記第１の端末は、前記接続情報を前記第２の端末へ通知する第２の通知部を備える付記３に記載のグループ作成システム。
（付記５）
前記接続情報は、前記管理サーバとの通信用アプリケーションをダウンロードするためのサイトのＵＲＬである付記４に記載のグループ作成システム。
（付記６）
前記第２の送信部は、前記第２の端末の登録が完了すると、前記送信を保留された招待情報を前記第２の端末へ送信する付記３から付記５のいずれかに記載のグループ作成システム。
（付記７）
ユーザの固有情報を記憶するアドレス帳記憶部と、
グループへの招待情報と共に受信した当該招待情報の送信元端末のユーザの固有情報が前記アドレス帳記憶部に記憶されている場合には、当該招待情報を通常メッセージとして分類し、前記送信元端末のユーザの固有情報が前記アドレス帳記憶部に記憶されていない場合には、当該招待情報をスパムメッセージとして分類する判定部と、
前記招待情報に対して、前記グループへ参加するか否かの選択入力を受け付け、選択結果を、前記グループを管理するサーバへ送信する選択部と、を備える端末。
（付記８）
コンピュータを付記７に記載の端末として機能させるためのグループ作成プログラム。
【符号の説明】
【００６０】
１  グループ作成システム
１０  招待元端末
１１  アドレス帳記憶部
１２  送信部（第１の送信部）
１３  通知部（第２の通知部）
２０  管理サーバ
２１  ユーザ情報記憶部
２２  特定部
２３  送信部（第２の送信部）
２４  招待情報記憶部
２５  通知部（第１の通知部）
２６  更新部
３０  招待先端末
３１  アドレス帳記憶部
３２  判定部
３３  選択部
【図１】
0006336637.tif 000002
【図２】
0006336637.tif 000003
【図３】
0006336637.tif 000004
【図４】
0006336637.tif 000005
【図５】
0006336637.tif 000006